(57)【要約】  【課題】  １台の構内交換機に遠隔地の拠点の事務所にある拠点内線端末を接続する際、ハイウェイのタイムスロットの一部を割当て、残りのタイムスロットを構内交換機に収容する内線端末や回線などに割当てることにより、タイムスロットを有効に活用可能な構内交換システムを提供する。  【解決手段】  構内交換機２、遠隔地の拠点Ｐ１に設置する遠隔制御装置３ａ，遠隔地の拠点Ｐ２に設置する遠隔制御装置３ｂ、構内交換機２と遠隔制御装置３ａとを接続するメタル回線４ａおよび構内交換機２と遠隔制御装置３ｂとを接続するメタル回線４ｂ、構内交換機２に収容される複数の内線端末Ｅｑｉおよび回線Ｌ１〜ＬＪ、遠隔制御装置３ａが収容する複数の拠点内線端末Ｅｑｘ、遠隔制御装置３ｂが収容する複数の拠点内線端末Ｅｑｚを備える。【選択図】  図１
2006295353.tif 000002
【特許請求の範囲】
【請求項１】
ハイウェイおよびタイムスイッチを含む交換制御部を有する構内交換機と、拠点の複数の拠点内線端末を収容する遠隔制御装置と、を備え、前記構内交換機と前記遠隔制御装置と、をメタル回線で接続した構内交換システムにおいて、
前記構内交換機は、前記ハイウェイから前記遠隔制御装置が収容する前記複数の拠点内線端末の通話に必要とするタイムスロット内の音声データを抽出し、抽出した音声データを前記メタル回線の信号フォーマットに変換して、前記メタル回線に送信するとともに、前記メタル回線の音声データから前記遠隔制御装置が収容する前記拠点内線端末の音声データを前記ハイウェイの該当するタイムスロットにセットする遠隔インタフェース手段を備え、
前記遠隔制御装置は、前記拠点内線端末を収容する拠点内線端末インタフェース手段と、前記メタル回線から受信した音声データを前記拠点内線端末インタフェース手段に出力するとともに、前記拠点内線端末インタフェース手段から受信した音声データを前記メタル回線の信号フォーマットに変換し、前記メタル回線に送出する遠隔制御手段を備えたことを特徴とする構内交換システム。
【請求項２】
前記構内交換機は、複数の内線端末インタフェースカードおよび複数の回線トランクカードが装着される複数のスロットを有する回線モジュールを備え、
前記遠隔インタフェース手段を遠隔インタフェースカードに搭載し、前記遠隔インタフェースカードを前記回線モジュールのスロットに装着して構成することを特徴とする請求項１記載の構内交換システム。
【請求項３】
前記遠隔インタフェースカードは、制御データのパッケージ番号に基づいて該当するタイムスロットを抽出することを特徴とする請求項２記載の構内交換システム。
【請求項４】
前記遠隔制御装置は、前記遠隔インタフェースカードから送信される音声データおよび制御データを受信し、各拠点内線端末インタフェースカードに音声データを送信する遠隔制御カードと、前記遠隔制御カードと前記各拠点内線端末インタフェースカードを接続するバックボードと、前記拠点内線端末と接続する前記拠点内線端末インタフェースカードと、電源ユニットと、バッテリーと、を備えたことを特徴とする請求項１記載の構内交換システム。
【請求項５】
前記拠点内線端末インタフェースカードは、接続する拠点内線端末の種類毎に設けることを特徴とする請求項４記載の構内交換システム。
【発明の詳細な説明】
【技術分野】
【０００１】
本発明はハイウェイのタイムスロットを内線端末や回線に割り当て、音声通話を行う構内交換システムに係り、特に、１台の構内交換機から少ないタイムスロットを用いて同一敷地内の遠隔地の複数拠点にある事務所に設置された拠点内線端末と音声通話を可能とする構内交換システムに関する。
【背景技術】
【０００２】
従来の構内交換システムにおいて、スイッチング制御モジュールと、内線インタフェースカードおよび回線トランクカードを収容する回線モジュールを有する構内交換機を備えたものが知られている。
【０００３】
このような構内交換機の増設モジュールには、合計２５６ポート分の内線インタフェースカードおよび回線トランクカードを収容し、各回線モジュールには、スイッチング制御モジュールとのインタフェースを取るモジュール制御カードが実装される。
【０００４】
モジュール制御カードは、スイッチング制御モジュールから同期クロック、２５６ポート分の音声ハイウェイ情報およびステータスハイウェイ情報を受信し、回線モジュールに収容された内線インタフェースカード、回線トランクカードに対してこれらのハイウェイ情報を送信する。
【０００５】
また、モジュール制御カードは、内線インタフェースカードおよび回線トランクカードからの音声情報やステータス情報を受信し、スイッチング制御ユニットに送信する。
【０００６】
従来の構内交換システムでは、構内交換機と同一敷地内の遠隔地の拠点にある事務所に設置された遠隔制御装置との間の音声通信は、構内交換機に収容された遠隔インタフェースモジュールと遠隔制御装置に内蔵された遠隔制御モジュールとにより実現され、１つの回線モジュール（２５６ポート）分のハイウェイ情報を多重化し、３２Ｍｂｐｓの伝送速度でデータ伝送が行われている。
【０００７】
また、従来の構内交換システムは、本出願人が「特許文献１」（交換機におけるリモートスイッチの制御方法）で開示したように、交換機とリモートスイッチ間の長距離用の線路と、リモートスイッチと複数の電話機間のローカルな線路とをリモートスイッチを介して接続することにより、交換機と遠隔地に設置するリモートスイッチとの間のデータ伝送を時分割多重化して行うものである。
【０００８】
交換機におけるリモートスイッチの制御方法として、交換機の増設モジュールに搭載されるべきラインカードを遠隔地に設置されたリモートスイッチに移動し、リモートスイッチに移動されたラインカードに電話機を接続するとともに、交換機とリモートスイッチ間のデータ伝送を時分割多重化することが可能になる。
【０００９】
これにより、交換機の一部をリモートスイッチとして遠隔地に切り離して設置し、遠隔地の電話機をリモートスイッチに接続して通話制御することになる。
【特許文献１】特開２０００−１７５２３０号公報
【発明の開示】
【発明が解決しようとする課題】
【００１０】
従来の構内交換システムは、構内交換機と同一敷地内の遠隔地の拠点にある事務所に設置された遠隔制御装置との間の音声通信は、構内交換機に収容された遠隔インタフェースモジュールと遠隔制御装置に内蔵された遠隔制御モジュールとにより実現され、１つの回線モジュール（２５６ポート）分のハイウェイ情報を多重化し、３２Ｍｂｐｓの伝送速度でデータ伝送が行われることになるため、遠隔地の拠点にある事務所に少数の内線端末を配置する場合でも、１ハイウェイ（２５６ポート）単位、つまり２５６台の内線端末分のタイムスロットが割り当てられるため、必要とされる内線端末数（例えば、３０台）を越えるタイムスロット分（２２６タイムスロット）が無駄になってしまう虞がある。
【００１１】
特に、遠隔地の拠点にある複数の事務所に、それぞれ少数の内線端末を配置するようなケースでは、事務所の数に相当するハイウェイ数が必要となり、タイムスロットの無駄が膨大なものとなり、フレキシビリティに欠ける課題がある。
【００１２】
また、ハイウェイ数の増加に伴い、構内交換機のタイムスイッチの規模も大きくなってしまう。
【００１３】
一方、１ハイウェイのタイムスロット（２５６タイムスロット）の一部を遠隔地の拠点の事務所に配置する拠点内線端末に割当て、残りのタイムスロットを構内交換機に収容する内線端末や回線などに割り当てることにより、ハイウェイのタイムスロットを有効に利用したいというユーザからの要望がある。
【００１４】
この発明はこのような課題を解決するためになされたもので、その目的は１台の構内交換機に遠隔地の拠点の事務所にある拠点内線端末を接続する際、ハイウェイのタイムスロットの一部を割当て、残りのタイムスロットを構内交換機に収容する内線端末や回線などに割当てることにより、タイムスロットを有効に活用可能な構内交換システムを提供することにある。
【課題を解決するための手段】
【００１５】
前記課題を解決するためこの発明に係る構内交換システムは、ハイウェイおよびタイムスイッチを含む交換制御部を有する構内交換機と、拠点の複数の拠点内線端末を収容する遠隔制御装置とを備え、構内交換機と遠隔制御装置とをメタル回線で接続した構内交換システムにおいて、構内交換機は、ハイウェイから遠隔制御装置が収容する複数の拠点内線端末の通話に必要とするタイムスロット内の音声データを抽出し、抽出した音声データをメタル回線の信号フォーマットに変換して、メタル回線に送信するとともに、メタル回線の音声データから遠隔制御装置が収容する拠点内線端末の音声データをハイウェイの該当するタイムスロットにセットする遠隔インタフェース手段を備え、遠隔制御装置は、拠点内線端末を収容する拠点内線端末インタフェース手段と、メタル回線から受信した音声データを拠点内線端末インタフェース手段に出力するとともに、拠点内線端末インタフェース手段から受信した音声データをメタル回線の信号フォーマットに変換し、メタル回線に送出する遠隔制御手段とを備えたことを特徴とする。
【００１６】
この発明に係る構内交換システムにおいて、構内交換機は、ハイウェイから遠隔制御装置が収容する複数の拠点内線端末の通話に必要とするタイムスロット内の音声データを抽出し、抽出した音声データをメタル回線の信号フォーマットに変換して、メタル回線に送信するとともに、メタル回線の音声データから遠隔制御装置が収容する拠点内線端末の音声データをハイウェイの該当するタイムスロットにセットする遠隔インタフェース手段を備え、遠隔制御装置は、拠点内線端末を収容する拠点内線端末インタフェース手段と、メタル回線から受信した音声データを拠点内線端末インタフェース手段に出力するとともに、拠点内線端末インタフェース手段から受信した音声データをメタル回線の信号フォーマットに変換し、メタル回線に送出する遠隔制御手段とを備えたので、１ハイウェイのタイムスロットを複数のタイムスロットのグループに分割して遠隔地にある事務所の拠点内線端末のチャネルに割り当てるとともに、残りのタイムスロットを構内交換機に収容する回線や内線端末のチャネルに割り当てることができる。
【００１７】
また、この発明に係る構内交換機は、複数の内線端末インタフェースカードおよび複数の回線トランクカードが装着される複数のスロットを有する回線モジュールを備え、遠隔インタフェース手段を遠隔インタフェースカードに搭載し、遠隔インタフェースカードを回線モジュールのスロットに装着して構成することを特徴とする。
【００１８】
この発明に係るこの発明に係る構内交換機は、複数の内線端末インタフェースカードおよび複数の回線トランクカードが装着される複数のスロットを有する回線モジュールを備え、遠隔インタフェース手段を遠隔インタフェースカードに搭載し、遠隔インタフェースカードを回線モジュールのスロットに装着して構成するので、各構成要素のカード化ならびにカードを集約したモジュール化を実現し、装置構成を単純化して保守や増設を容易に実行することができる。
【００１９】
さらに、この発明に係る遠隔インタフェースカードは、制御データのパッケージ番号に基づいて該当するタイムスロットを抽出することを特徴とする。
【００２０】
この発明に係る遠隔インタフェースカードは、制御データのパッケージ番号に基づいて該当するタイムスロットを抽出するので、カードを回線モジュールの任意のスロットに挿入しても該当するタイムスロットを指定することができる。
【００２１】
さらに、この発明に係る遠隔制御装置は、遠隔地インタフェースカードから送信される音声データおよび制御データを受信し、各拠点内線端末インタフェースカードに音声データを送信する遠隔制御カードと、遠隔制御カードと各拠点内線端末インタフェースカードを接続するバックボードと、拠点内線端末と接続する拠点内線端末インタフェースカードと、電源ユニットと、バッテリーとを備えたことを特徴とする。
【００２２】
この発明に係る遠隔制御装置は、遠隔地インタフェースカードから送信される音声データおよび制御データを受信し、各拠点内線端末インタフェースカードに音声データを送信する遠隔制御カードと、遠隔制御カードと各拠点内線端末インタフェースカードを接続するバックボードと、拠点内線端末と接続する拠点内線端末インタフェースカードと、電源ユニットと、バッテリーとを備えたので、装置を機能別にカード化して装置を単純化することができる。
【００２３】
また、この発明に係る拠点内線端末インタフェースカードは、接続する拠点内線端末の種類毎に設けることを特徴とする。
【００２４】
この発明に係る拠点内線端末インタフェースカードは、接続する拠点内線端末の種類毎に設けるので、拠点内線端末が複数種類あっても、拠点内線端末の種類毎に内線端末インタフェースカードを準備することができる。
【発明の効果】
【００２５】
この発明に係る構内交換システムにおいて、構内交換機は、ハイウェイから遠隔制御装置が収容する複数の拠点内線端末の通話に必要とするタイムスロット内の音声データを抽出し、抽出した音声データをメタル回線の信号フォーマットに変換して、メタル回線に送信するとともに、メタル回線の音声データから遠隔制御装置が収容する拠点内線端末の音声データをハイウェイの該当するタイムスロットにセットする遠隔インタフェース手段を備え、遠隔制御装置は、拠点内線端末を収容する拠点内線端末インタフェース手段と、メタル回線から受信した音声データを拠点内線端末インタフェース手段に出力するとともに、拠点内線端末インタフェース手段から受信した音声データをメタル回線の信号フォーマットに変換し、メタル回線に送出する遠隔制御手段とを備えたので、１ハイウェイのタイムスロットを複数のタイムスロットのグループに分割して遠隔地にある事務所の拠点内線端末のチャネルに割当てるとともに、残りのタイムスロットを構内交換機に収容する回線や内線端末のチャネルに割当てることができ、ハイウェイのタイムスロットを無駄にすることなく、タイムスロットを有効に活用することができる。
【００２６】
また、この発明に係るこの発明に係る構内交換機は、複数の内線端末インタフェースカードおよび複数の回線トランクカードが装着される複数のスロットを有する回線モジュールを備え、遠隔インタフェース手段を遠隔インタフェースカードに搭載し、遠隔インタフェースカードを回線モジュールのスロットに装着して構成するので、各構成要素のカード化ならびにカードを集約したモジュール化を実現し、装置構成を単純化して保守や増設を容易に実行することができ、システムのフレキシビリティをアピールすることができる。
【００２７】
さらに、この発明に係る遠隔インタフェースカードは、制御データのパッケージ番号に基づいて該当するタイムスロットを抽出するので、カードを回線モジュールの任意のスロットに挿入しても該当するタイムスロットを指定することができ、遠隔インタフェースカードの設定工事を効率的に実行することができる。
【００２８】
また、この発明に係る遠隔制御装置は、遠隔地インタフェースカードから送信される音声データおよび制御データを受信し、各拠点内線端末インタフェースカードに音声データを送信する遠隔制御カードと、遠隔制御カードと各拠点内線端末インタフェースカードを接続するバックボードと、拠点内線端末と接続する拠点内線端末インタフェースカードと、電源ユニットと、バッテリーとを備えたので、装置を機能別にカード化して装置を単純化することができ、遠隔制御装置の設定ならびに保守を効率的に実行することができる。
【００２９】
さらに、この発明に係る拠点内線端末インタフェースカードは、接続する拠点内線端末の種類毎に設けるので、拠点内線端末が複数種類あっても、拠点内線端末の種類毎に内線端末インタフェースカードを準備することができ、拠点内線端末の接続工事を間違うことなく、正確に、かつ、迅速に行うことができる。
【発明を実施するための最良の形態】
【００３０】
以下、この発明の実施の形態を添付図面に基づいて説明する。図１はこの発明に係る構内交換システムの一実施の形態要部ブロック構成図である。なお、本図は１ハイウェイ（２５６タイムスロット）を用いて、構内交換機に２拠点の遠隔制御装置と、複数の内線端末および複数の回線とを増設する場合に限定して表わし、別のハイウェイを用いて、構内交換機に本来収容する多数の内線端末および回線については、予め存在するものとして省略する（図示しない）。
【００３１】
図１において、構内交換システム１は、構内交換機２、遠隔地の拠点Ｐ１に設置する遠隔制御装置３ａ，遠隔地の拠点Ｐ２に設置する遠隔制御装置３ｂ、構内交換機２と遠隔制御装置３ａとを接続するメタル回線４ａおよび構内交換機２と遠隔制御装置３ｂとを接続するメタル回線４ｂ、構内交換機２に収容される複数の内線端末Ｅｑｉおよび回線Ｌ１〜ＬＪ、遠隔制御装置３ａが収容する複数の拠点内線端末Ｅｑｘ、遠隔制御装置３ｂが収容する複数の拠点内線端末Ｅｑｚを備える。
【００３２】
構内交換機２、遠隔制御装置３ａおよび遠隔制御装置３ｂは、同一敷地内にある事業体の各事務所に設置し、遠隔制御装置３ａおよび遠隔制御装置３ｂの設置される事務所は、それぞれ構内交換機２が設置される事務所から遠隔地（遠距離）にあるものとする。
【００３３】
構内交換機２は、タイムスイッチ５、主制御装置６、ハイウェイＨＷ、遠隔インタフェース手段７ａ、遠隔インタフェース手段７ｂ、内線インタフェースＴＦ１〜ＴＦｎ、回線トランクＴＲ１〜ＴＲＪを備える。
【００３４】
タイムスイッチ５は、主制御装置６の制御により、内線インタフェースＴＦ１〜ＴＦｎ相互間の通話路、内線インタフェースＴＦ１〜ＴＦｎと回線トランクＴＲ１〜ＴＲＪ相互間の通話路、内線インタフェースＴＦ１〜ＴＦｎと遠隔インタフェース手段７ａおよび遠隔インタフェース手段７ｂ相互間の通話路、遠隔インタフェース手段７ａと遠隔インタフェース手段７ｂ間の通話路および遠隔インタフェース手段７ａおよび遠隔インタフェース手段７ｂと回線トランクＴＲ１〜ＴＲＪ相互間の通話路を形成する。
【００３５】
ハイウェイＨＷは、２５６タイムスロット（チャネル）を有し、遠隔インタフェース手段７ａ、遠隔インタフェース手段７ｂ、内線インタフェースＴＦ１〜ＴＦｎおよび回線トランクＴＲ１〜ＴＲＪの通話路（チャネル）は、ハイウェイＨＷのタイムスロットの中から割当てる。例えば、遠隔インタフェース手段７ａには、タイムスロット番号０〜６３の６４タイムスロット、遠隔インタフェース手段７ｂには、タイムスロット番号６４〜１２７の６４タイムスロット、内線インタフェースＴＦ１〜ＴＦｎには、タイムスロット番号１２８〜１９１の６４タイムスロット、回線トランクＴＲ１〜ＴＲＪには、タイムスロット番号１９２〜２５５の６４タイムスロットを割当てる。
【００３６】
主制御装置６は、マイクロプロセッサやメモリで構成し、構内交換機２全体の交換動作や遠隔インタフェース手段７ａ、遠隔インタフェース手段７ｂ、内線端末Ｅｑｉ，回線Ｌ１〜ＬＪ、拠点内線端末Ｅｑｘおよび拠点内線端末Ｅｑｚからの呼制御動作を実行する。
【００３７】
また、主制御装置６は、予めハイウェイＨＷのタイムスロット番号と遠隔インタフェース手段７ａ、遠隔インタフェース手段７ｂ、内線インタフェースＴＦ１〜ＴＦｎおよび回線トランクＴＲ１〜ＴＲＪのパッケージ番号の割付け対応データを格納し、タイムスロット番号に基づいて遠隔インタフェース手段７ａ、遠隔インタフェース手段７ｂ、内線インタフェースＴＦ１〜ＴＦｎおよび回線トランクＴＲ１〜ＴＲＪにタイムスロットを指定する制御を実行する。
【００３８】
遠隔インタフェース手段７ａは、主制御装置６の制御により、ハイウェイＨＷから遠隔制御装置３ａが収容する複数の拠点内線端末Ｅｑｘの通話に必要とするタイムスロットＴＳ（例えば、０〜６３タイムスロット）内の音声データＪＡを抽出し、抽出した音声データＪＡをメタル回線４ａの信号フォーマットに変換して、メタル回線４ａに送信するとともに、メタル回線４ａの音声データＪＡから遠隔制御装置３ａが収容する拠点内線端末Ｅｑｘの音声データＪＡをハイウェイＨＷの該当するタイムスロットＴＳにセットする遠隔インタフェース手段を備え、制御データＪC用の２ペアのメタル回線および音声データＪＡ用の２ペアのメタル回線からなるメタル回線４ａを介して遠隔地の拠点Ｐ１に設置された遠隔制御装置３ａと接続する。
【００３９】
遠隔インタフェース手段７ｂは、主制御装置６の制御により、ハイウェイＨＷから遠隔制御装置３ｂが収容する複数の拠点内線端末Ｅｑｚの通話に必要とするタイムスロットＴＳ（例えば、６４〜１２７タイムスロット）内の音声データＪＡを抽出し、抽出した音声データＪＡをメタル回線４ｂの信号フォーマットに変換して、メタル回線４ｂに送信するとともに、メタル回線４ｂの音声データＪＡから遠隔制御装置３ｂが収容する拠点内線端末Ｅｑｚの音声データＪＡをハイウェイＨＷの該当するタイムスロットＴＳにセットする遠隔インタフェース手段を備え、制御データＪC用の２ペアのメタル回線および音声データＪＡ用の２ペアのメタル回線からなるメタル回線４ｂを介して遠隔地の拠点Ｐ２に設置された遠隔制御装置３ｂと接続する。
【００４０】
これにより、遠隔インタフェース手段７ａおよび遠隔インタフェース手段７ｂは、１ハイウェイＨＷのタイムスロットを複数のタイムスロットのグループ（例えば、６４タイムスロットの４グループ）に分割して遠隔地にある事務所の拠点内線端末Ｅｑｘ，Ｅｑｚのチャネルに割当てるとともに、残りのタイムスロットを構内交換機２に収容する回線Ｌ１〜ＬＪや内線端末Ｅｑｉのチャネルに割当てることができる。
【００４１】
内線インタフェースＴＦ１〜ＴＦｎには、主制御装置６の制御により、ハイウェイＨＷのタイムスロットＴＳ（２５６タイムスロット）の内、例えば１２８〜１９１タイムスロット（チャネル）の６４タイムスロットが割り当てられ、構内交換機２に接続する内線端末Ｅｑｉを増設可能とする。
【００４２】
回線トランクＴＲ１〜ＴＲＪには、主制御装置６の制御により、ハイウェイＨＷのタイムスロットＴＳ（２５６タイムスロット）の内、例えば１９２〜２５３タイムスロット（チャネル）の６４タイムスロットが割り当てられ、構内交換機２に接続する回線Ｌ１〜ＬＪを収容可能とする。
【００４３】
なお、遠隔インタフェース手段７ａ、遠隔インタフェース手段７ｂ、内線インタフェースＴＦ１〜ＴＦｎおよび回線トランクＴＲ１〜ＴＲＪは、ハイウェイＨＷの２５６タイムスロットを割り当てるもので、例えば内線インタフェースＴＦ１〜ＴＦｎおよび回線トランクＴＲ１〜ＴＲＪにそれぞれ割り当てられた６４タイムスロットを、２台の遠隔制御装置を増設する場合の遠隔インタフェース手段２台の増設分に割り当ててもよい。
【００４４】
また、遠隔インタフェース手段７ａが１台で、構内交換機２の内線端末Ｅｑｉを増設したい場合、遠隔インタフェース手段７ｂおよび回線トランクＴＲ１〜ＴＲＪに割当てられるハイウェイＨＷの１２８タイムスロットを割り当ててもよく、ハイウェイＨＷのタイムスロットを有効に活用することができる。
【００４５】
遠隔制御装置３ａは、拠点内線端末Ｅｑｘを収容する拠点内線端末インタフェース手段と、メタル回線４ａから受信した音声データＪＡを拠点内線端末インタフェース手段に出力するとともに、拠点内線端末インタフェース手段から受信した音声データＪＡをメタル回線４ａの信号フォーマットに変換し、メタル回線４ａに送出する遠隔制御手段を備える。
【００４６】
一方、遠隔制御装置３ｂも遠隔制御装置３ａと同様に、拠点内線端末Ｅｑｚを収容する拠点内線端末インタフェース手段と、メタル回線４ｂから受信した音声データＪＡを拠点内線端末インタフェース手段に出力するとともに、拠点内線端末インタフェース手段から受信した音声データＪＡをメタル回線４ｂの信号フォーマットに変換し、メタル回線４ｂに送出する遠隔制御手段を備える。
【００４７】
これにより、１ハイウェイのタイムスロットを複数のタイムスロットのグループに分割して遠隔地にある事務所の拠点内線端末Ｅｑｘ，Ｅｑｚのチャネルに割当てることができる。
【００４８】
図２はこの発明に係る構内交換機の一実施の形態搭載イメージ図である。図２において、構内交換機２は、内線インタフェースＴＦ１〜ＴＦｎを複数のカード化した内線端末インタフェースカード１１および回線トランクＴＲ１〜ＴＲＪを複数のカード化した回線トランクカード１２が装着される複数のスロットを有する回線モジュール９と、タイムスイッチ５、ハイウェイＨＷおよび主制御装置６からなるスイッチング制御モジュール８を備える。
【００４９】
内線端末インタフェースカード１１は、内線インタフェースが１６台搭載された１枚のカードを４枚（１６台×４＝６４台）を回線モジュール９のスロットに装着する。
【００５０】
回線トランクカード１２は、回線トランクが１６台搭載された１枚のカードを４枚（１６台×４＝６４台）を回線モジュール９のスロットに装着する。
【００５１】
また、回線モジュール９には、遠隔インタフェース手段７ａおよび遠隔インタフェース手段７ｂをカード化した遠隔インタフェースカード１０ａおよび遠隔インタフェースカード１０ｂをスロットに装着する。
【００５２】
なお、回線モジュール９のスロットには、遠隔インタフェースカード１０ａ装着用に０〜６３のタイムスロット分が割り当てられ、遠隔インタフェースカード１０ｂ装着用に６４〜１２７のタイムスロット分が割り当てられ、内線端末インタフェースカード１１装着用に１２８〜１９１のタイムスロット分が割り当てられ、回線トランクカード１２装着用に１９２〜２５５のタイムスロット分が割り当てられている。
【００５３】
このように、構内交換機２は、複数の内線端末インタフェースカード１１および複数の回線トランクカード１２が装着される複数のスロットを有する回線モジュール９を備え、遠隔インタフェース手段７ａ，７ｂを遠隔インタフェースカード１０ａ，１０ｂに搭載し、遠隔インタフェースカード１０ａ，１０ｂを回線モジュール９のスロットに装着して構成するので、各構成要素のカード化ならびにカードを集約したモジュール化を実現し、装置構成を単純化して保守や増設を容易に実行することができ、システムのフレキシビリティをアピールすることができる。
【００５４】
図３はこの発明に係る遠隔制御装置の一実施の形態要部ブロック構成図、図４はこの発明に係る遠隔制御装置の一実施の形態搭載イメージ図である。なお、図１に示す遠隔制御装置３ａおよび遠隔制御装置３ｂは、同一機能ならびに同一構成なので、遠隔制御装置３ａを中心に説明する。図３において、遠隔制御装置３ａは、遠隔制御カード１３、バックボード１４、拠点内線端末インタフェースカード１５ａ〜１５ｄ、電源ユニット１６、バッテリー１７を備える。
【００５５】
遠隔制御カード１３は、構内交換機２に収容される遠隔インタフェースカード１０ａとメタル回線４ａを介して接続して、交換機２からの音声データＪＡ、制御データＪCを受信し、バックボード１４を介して拠点内線端末インタフェースカード１５ａ〜１５ｄにデータを送信する。
【００５６】
バックボード１４は、遠隔制御カード１３と拠点内線端末インタフェースカード１５ａ〜１５ｄとの間をインタフェースする。
【００５７】
拠点内線端末インタフェースカード１５ａ〜１５ｄは、それぞれカード毎に、拠点内線端末Ｅｑｘを収容する。
【００５８】
遠隔制御装置３ａに収容可能な拠点内線端末Ｅｑｘは、アナログ電話機、多機能電話機、ＰＨＳ端末であり、拠点内線端末インタフェースカード１５ａ〜１５ｄ毎に、内線端末種別であるアナログ電話機、多機能電話機、ＰＨＳ端末を収容する。
【００５９】
また、遠隔制御装置３ａは、８回線（チャネル）収容のカードを４枚（拠点内線端末インタフェースカード１５ａ〜１５ｄ）まで収容可能とし、最大３０回線の音声チャネルの制御を行う。
【００６０】
電源ユニット１６は、遠隔制御装置３ａに電源を供給して駆動し、バッテリー１７は、電源ユニット１６をバックアップする。
【００６１】
このように、この発明に係る遠隔制御装置３ａは、遠隔地インタフェースカード１０ａから送信される音声データＪＡおよび制御データＪCを受信し、各拠点内線端末インタフェースカード１５ａ〜１５ｄに音声データＪＡを送信する遠隔制御カード１３と、遠隔制御カード１３と各拠点内線端末インタフェースカード１５ａ〜１５ｄを接続するバックボード１４と、拠点内線端末Ｅｑｘと接続する拠点内線端末インタフェースカード１５ａ〜１５ｄと、電源ユニット１６と、バッテリー１７とを備えたので、装置（遠隔制御装置３ａ）を機能別にカード化して装置を単純化することができ、遠隔制御装置３ａの設定ならびに保守を効率的に実行することができる。
【００６２】
また、この発明に係る拠点内線端末インタフェースカード１５ａ〜１５ｄは、接続する拠点内線端末Ｅｑｘの種類毎（アナログ電話機、多機能電話機、ＰＨＳ端末）に設けるので、拠点内線端末Ｅｑｘが複数種類あっても、拠点内線端末の種類毎に内線端末インタフェースカードを準備することができ、拠点内線端末の接続工事を間違うことなく、正確に、かつ、迅速に行うことができる。
【００６３】
次に、音声データＪＡの送受信について説明する。図５はこの発明に係るタイムスロットの一実施の形態割付けイメージ図である。図５において、構内交換機２の回線モジュール９には、遠隔インタフェースカード１０ａを搭載するスロットが実装されており、それぞれ１枚の拠点内線端末インタフェースカード１５ａ〜１５ｄに対して１６タイムスロットが割付けされる。
【００６４】
１枚の遠隔インタフェースカード１０ａは、拠点内線端末インタフェースカード１５ａ〜１５ｄの４枚分のタイムスロット、つまり６４タイムスロット分の音声データＪＡを受信する。
【００６５】
また、遠隔インタフェースカード１０ａは、６４タイムスロットの中から遠隔制御装置３ａに送信する３０タイムスロット分をパッケージ（カード）の装着位置（パッケージ番号）から抽出し、メタル回線４ａの音声データＪＡ用を介して、２ＭＨｚのクロックで８ビットのシリアルデータとしてＥ１フォーマットで遠隔制御カード１３に送信する。
【００６６】
遠隔制御カード１３は、遠隔インタフェースカード１０ａから送信されるＥ１フォーマットのシリアル音声データＪＡに、Ｅ１フォーマットの逆変換を施した音声データＪＡを該当するタイムスロットにセットし、タイムスロットにセットされた音声データＪＡをバックボード１４を介して拠点内線端末インタフェースカード１５ａ〜１５ｄに送信する。
【００６７】
図６はこの発明に係る構内交換機と遠隔制御装置間の一実施の形態データ伝送ルート図である。図６において、構内交換機２のスイッチング制御モジュール８から音声データＪＡおよび制御データＪCが遠隔インタフェースカード１０ａに伝送され、遠隔インタフェースカード１０ａからメタル回線４ａを介して音声データＪＡおよび制御データＪCが遠隔制御装置３ａの遠隔制御カード１３に送信される。
【００６８】
遠隔制御カード１３は、メタル回線４ａを介して受信した音声データＪＡおよび制御データＪCをバックボード１４を介して拠点内線端末インタフェースカード１５ａ〜１５ｄに伝送する。
【００６９】
図７はこの発明に係る制御データの一実施の形態フォーマット図である。図７において、制御データＪCには、パッケージの収容位置を示すＰＣＢ番号（パッケージ番号）が付与されており、遠隔インタフェースカード１０ａは、スイッチング制御モジュール８から提供される制御データＪCのパッケージ番号より該当する制御データＪCのみを抽出する。
【００７０】
抽出された制御データＪCは、２ＭHzのシリアルデータとしてＥ１フォーマットで遠遠隔制御カード１３に送出される。
【００７１】
遠隔制御カード１３では、受信したＥ１フォーマットのシリアルデータを遠隔制御カード１３内のバッファに蓄積し、制御データＪCのフォーマットに変換した後、バックボード１４のハイウェイポートより拠点内線端末インタフェースカード１５ａ~１５ｄに送信する。
【００７２】
このように、この発明に係る遠隔インタフェースカード１０ａは、制御データＪCのパッケージ番号に基づいて該当するタイムスロットを抽出するので、カードを回線モジュール９の任意のスロットに挿入しても該当するタイムスロットを指定することができ、遠隔インタフェースカードの設定工事を効率的に実行することができる。
【００７３】
以上説明したように、この発明に係る構内交換システム１において、構内交換機２は、ハイウェイHWから遠隔制御装置３ａが収容する複数の拠点内線端末Ｅｑｘの通話に必要とするタイムスロットＴS内の音声データＪＡを抽出し、抽出した音声データＪＡをメタル回線４ａの信号フォーマットに変換して、メタル回線４ａに送信するとともに、メタル回線４ａの音声データＪＡから遠隔制御装置３ａが収容する拠点内線端末Ｅｑｘの音声データＪＡをハイウェイＨＷの該当するタイムスロットＴＳにセットする遠隔インタフェース手段７ａを備え、遠隔制御手段３ａは、拠点内線端末Ｅｑｘを収容する拠点内線端末インタフェース手段（拠点内線端末インタフェースカード１５ａ〜１５ｄ）と、メタル回線４ａから受信した音声データＪＡを拠点内線端末インタフェース手段（拠点内線端末インタフェースカード１５ａ〜１５ｄ）に出力するとともに、拠点内線端末インタフェース手段から受信した音声データＪＡをメタル回線４ａの信号フォーマットに変換し、メタル回線４ａに送出する遠隔制御手段（遠隔制御カード１３）とを備えたので、１ハイウェイのタイムスロットを複数のタイムスロットのグループに分割して遠隔地にある事務所の拠点内線端末Ｅｑｘ，Ｅｑｚのチャネルに割当てるとともに、残りのタイムスロットを構内交換機２に収容する回線Ｌ１〜ＬＪや内線端末Ｅｑｉのチャネルに割当てることができ、ハイウェイのタイムスロットを無駄にすることなく、タイムスロットを有効に活用することができる。
【産業上の利用可能性】
【００７４】
本発明に係る構内交換システムは、１台の構内交換機に遠隔地の拠点の事務所にある拠点内線端末を接続し、ハイウェイのタイムスロットの一部を割当て、残りのタイムスロットを構内交換機に収容する内線端末や回線などに割当てることにより、タイムスロットを有効に活用でき、ハイウェイのタイムスロットを有効に用いて遠隔地の事務所に拠点内線端末を配置するあらゆる構内交換システムに適用することができる。
【図面の簡単な説明】
【００７５】
【図１】この発明に係る構内交換システムの一実施の形態要部ブロック構成図
【図２】この発明に係る構内交換機の一実施の形態搭載イメージ図
【図３】この発明に係る遠隔制御装置の一実施の形態要部ブロック構成図
【図４】この発明に係る遠隔制御装置の一実施の形態搭載イメージ図
【図５】この発明に係るタイムスロットの一実施の形態割付けイメージ図
【図６】この発明に係る構内交換機と遠隔制御装置間の一実施の形態データ伝送ルート図
【図７】この発明に係る制御データの一実施の形態フォーマット図
【符号の説明】
【００７６】
１    構内交換システム
２    構内交換機
３ａ，３ｂ    遠隔制御装置
４ａ，４ｂ    メタル回線
５    タイムスイッチ
６    主制御装置
７ａ，７ｂ    遠隔インタフェース手段
８    スイッチング制御モジュール
９    回線モジュール
１０ａ，１０ｂ    遠隔インタフェースカード
１１    内線端末インタフェースカード
１２    局線トランクカード
１３    遠隔制御カード
１４    バックボード
１５ａ〜１５ｄ    拠点内線端末インタフェースカード
１６    電源ユニット
１７    バッテリー
ＴＦ１〜ＴＦｎ    内線インタフェース
ＴＲ１〜ＴＲＪ    回線トランク
ＨＷ    ハイウェイ
ＴＳ    タイムスロット
ＪC    制御データ
ＪＡ    音声データ
Ｅｑｉ    内線端末
Ｅｑｘ，Ｅｑｚ    拠点内線端末
【図１】
2006295353.tif 000003
【図２】
2006295353.tif 000004
【図３】
2006295353.tif 000005
【図４】
2006295353.tif 000006
【図５】
2006295353.tif 000007
【図６】
2006295353.tif 000008
【図７】
2006295353.tif 000009